(57)【要約】【課題】従来の通信添削システムにおいては、解答時間に制限を付けることができず、また、送受信されるデータの安全が守れないなどの課題があった。【解決手段】通信添削システム提供者側の編集端末と、これに接続された配信サーバと、受講者に予め発行されるＩＣカードと、ＩＣカードを接続可能な通信端末とを有し、配信サーバは、発行された受講者のＩＤコードと編集端末によって作成された問題・解答画面用画像データと編集端末によって作成された前記問題・解答画面に入力されるテキストデータをＤＢに登録し、また通信端末から送信された受講者のＩＤコードを受信して登録されたＩＤコードと照合し、登録済みであることが確認された受講者の通信端末に対して問題・解答画面を配信し、受講者は通信端末に解答を入力し、配信サーバは、通信端末から送信された解答を編集端末によって採点，添削を行う通信添削システムを提供する。【選択図】  図１
2005227451.tif 000002
【特許請求の範囲】
【請求項１】
問題作成者が電子フォームにより作成した問題をネットワークを介して受講者に配信し、受講者の解答に対して採点・添削を行うシステムであって、
通信添削システム提供者側の編集端末と、編集端末に接続された配信サーバと、受講者に予め発行されるＩＣカードと、ＩＣカードを接続可能な通信端末とを有し、
配信サーバは、発行された受講者のＩＤコードと、編集端末によって作成された問題・解答画面用画像データと、編集端末によって作成された前記問題・解答画面に入力されるテキストデータをＤＢに登録し、
配信サーバは、通信端末から送信された受講者のＩＤコードを受信して登録されたＩＤコードと照合し、登録済みであるか確認し、登録が確認された受講者の通信端末に対して問題・解答画面を配信し、
受講者の入力手段は、通信端末に配信された解答入力画面に対して解答を入力し、配信サーバは、通信端末から送信された解答を受信し、接続された編集端末によって採点，添削を行うことを特徴とする通信添削システム。
【請求項２】
請求項1に記載の通信添削システムにおいて、
配信サーバ、通信端末間で送受信される情報は、ＩＣカードに格納された暗号鍵によって暗号化されたことを特徴とする通信添削システム。
【請求項３】
請求項1，２何れかに記載の通信添削システムにおいて、
受講者が解答作業を中断する場合は、入力された途中までの解答データと残り時間をＩＣカードに一時保管させ、必要なときに解答作業を再開できるようにしたことを特徴とする通信添削システム。
【発明の詳細な説明】
【技術分野】
【０００１】
本発明は、ネットワークを介した通信添削システムに関する。
【背景技術】
【０００２】
従来、通信教育において通信教育提供者側は、問題作成者に問題を作成させ、デザイナーや印刷会社にレイアウトを作成させ、それを編集して問題用紙に印刷し、一方で、受講者を募集し、通信添削を希望する受講者に対して郵便によって印刷した問題用紙を配布し、受講者は定められた期日までに答案を作成し、返信封筒に入れて通信教育提供者側に送付し、答案を受け取った通信教育提供者側は、受け取った答案を問題作成者に採点・添削を依頼し、結果を集計して受講者に答案用紙と一緒に郵送していた。
このような方法では、印刷物が発生し、郵送費用が掛り、問題用紙を送付するための時間，答案を回収するための時間が掛り、解答時間に制限を付けることができないなど多くの問題があった。
一方、パーソナルコンピュータ等の利用分野が拡張し、通信機能を有する端末をネット上に接続して通信添削を行うサービス技術が出現し、これに係わる特許が開示されている。
この開示技術によれば、解答用紙の電子フォームと、問題用テキストデータを同一画面上に表示してテストを実施し、採点・添削を行うというものである（例えば、特許文献１参照）。
【０００３】
【特許文献１】特開２００３−６６８１９号公報
【発明の開示】
【発明が解決しようとする課題】
【０００４】
しかし、このような通信添削システムにおいては、解答時間に制限を付けることができず、また、送受信されるデータの安全が守れないなどの課題があった。
【課題を解決するための手段】
【０００５】
前記課題を解決するために、本発明の通信添削システムの請求項１に記載の発明は、
問題作成者が電子フォームにより作成した問題をネットワークを介して受講者に配信し、受講者の解答に対して採点・添削を行うシステムであって、通信添削システム提供者側の編集端末と、編集端末に接続された配信サーバと、受講者に予め発行されるＩＣカードと、ＩＣカードを接続可能な通信端末とを有し、配信サーバは、発行された受講者のＩＤコードと、編集端末によって作成された問題・解答画面用画像データと、編集端末によって作成された前記問題・解答画面に入力されるテキストデータをＤＢに登録し、配信サーバは、通信端末から送信された受講者のＩＤコードを受信して登録されたＩＤコードと照合し、登録済みであるか確認し、登録が確認された受講者の通信端末に対して問題・解答画面を配信し、受講者の入力手段は、通信端末に配信された解答入力画面に対して解答を入力し、配信サーバは、通信端末から送信された解答を受信し、接続された編集端末によって採点，添削を行うことを特徴とするものである。
【０００６】
また、請求項２に記載の発明は、請求項1に記載の発明において、配信サーバ、通信端末間で送受信される情報は、ＩＣカードに格納された暗号鍵によって暗号化されたことを特徴とするものである。
【０００７】
また、請求項３に記載の発明は、請求項1，２何れかに記載の発明において、受講者が解答作業を中断したい場合は、入力された途中までの解答データと残り時間をＩＣカードに一時保管させ、必要なときに解答作業を再開できるようにしたことを特徴とするものである。
【発明の効果】
【０００８】
１）請求項１に記載のように、問題作成者が電子フォームにより作成した問題をネットワークを介して受講者に配信し、受講者の解答に対して採点・添削を行うシステムであって、  通信添削システム提供者側の編集端末と、編集端末に接続された配信サーバと、受講者に予め発行されるＩＣカードと、ＩＣカードを接続可能な通信端末とを有し、配信サーバは、発行された受講者のＩＤコードと、編集端末によって作成された問題・解答画面用画像データと、編集端末によって作成された前記問題・解答画面に入力されるテキストデータをＤＢ（Ｄａｔａ  Ｂａｓｅ）に登録し、配信サーバは、通信端末から送信された受講者のＩＤコードを受信して登録されたＩＤコードと照合し、登録済みであるか確認し、登録が確認された受講者の通信端末に対して問題・解答画面を配信し、受講者の入力手段は、通信端末に配信された解答入力画面に対して解答を入力し、配信サーバは、通信端末から送信された解答を受信し、接続された編集端末によって採点，添削を行うことによって、印刷物などを作製することなく、郵送費用が掛らず、問題用紙を送付するための時間、答案を回収するための時間が掛らず、受講者の答案作成までの時間を管理することもでき、企画から実施まで時間がない場合や、少ない費用で広範囲に通信添削を実施する場合に好適である。
２）また、請求項２に記載の発明のように、請求項1に記載の発明において、配信サーバ、通信端末間で送受信される情報は、ＩＣカードに格納された暗号鍵によって暗号化されたことによって、送受信されるデータを高セキュリティ環境下で保護することができる。
３）また、請求項３に記載の発明のように、請求項1，２何れかに記載の発明において、受講者が解答作業を中断したい場合は、入力された途中までの解答データと残り時間をＩＣカードに一時保管させ、必要なときに解答作業を再開できるようにしたことによって、解答作業中に通信端末から離れなければならなくなった受講者等に対しても、時間に制限がある通信添削問題に参加してもらうことが可能となる。
【発明を実施するための最良の形態】
【０００９】
以下図面を参照して、本発明の好適な一実施形態である通信添削システムについて説明する。
図１は、本発明の一実施形態である通信添削システムについて説明するための概略図，図２は、通信添削・試験問題のスタート画面の一例について説明するための図，図３は、試験問題・解答画面の一例について説明するための図，図４は、本発明の通信添削システムの受講者ＩＤを確認する手順を示すフローチャート，図５は、本発明の通信添削システムの解答作業を中断する手順を示すフローチャート，図６は、本発明の通信添削システムの解答作業を再開する手順を示すフローチャート，図７は、本発明の通信添削システムの解答作業を終了する手順を示すフローチャート，図８は、本発明の通信添削システムを構成する装置の機能について説明するためのブロック図、である。
【００１０】
図１に示す概略図を参照して、本発明の一実施形態である通信添削システムについて説明する。
通信添削システム提供者側は、少なくとも編集端末１１と、編集端末に接続された配信サーバ１を備える。
また、受講者側は、求めに応じて通信添削システム提供者側から発行されるＩＣカード３と、ＩＣカードを接続可能な通信端末２を備える。
編集端末１１には、各種のＤＢが接続される。これらのＤＢには、問題画面画像データ１１１、解答画面画像データ１１２、表示しないが、例えば、基本的なデータである通信添削システム提供者側のホームページを配信するためのプログラム、ホームページを表示するための画面デザインデータ，テキストデータが収納されたファイル，前記それぞれの画面を作成するための画面作成ツール，入力枠毎に貼付された編集プログラム（電子フォームとして機能させるためのプログラム）を含むプログラムファイルなどが格納されている。
【００１１】
一方、配信サーバ１には、通信添削問題，試験問題など前述の問題，解答画面に添えるテキストデータ、及び、添削のためのテキストデータをファイルするＤＢ，受講者別の受講者データ、受講者に配布された受講者カード、または、会員カード（以下ＩＣカードという。）３の記録内容等のファイルを格納するＤＢが接続されている。
【００１２】
まず、編集端末１１は、受講者募集画面を作成し、配信サーバ１から配信する。
受講者募集サイトには、受講者の属性を入力させる電子フォーム形式の入力画面が表示され、通信添削を受けたい受講者は、受講者通信端末２によって前記入力フォーマットに指定された情報を入力し、送信する。
受講者通信端末２によって送信された受講者情報は、配信サーバによって受信され、受講者データとして格納される。
【００１３】
通信添削システム提供者側は、受講者毎にＩＤコードと、秘密鍵コードを割り当て、少なくともこれらデータを記録したＩＣカード３を作成する。
秘密鍵は、受講者共通の鍵にしても良いし、受講者毎にユニークな鍵（公開鍵暗号方式による秘密鍵）としても良い。
ＩＣカード３に記録された前記ＩＤコード，秘密鍵コードは、外部から読出しができないように格納する。
前記、受講者毎のＩＤコード，秘密鍵コードは、照合プログラムとリンクさせて配信サーバ１のＤＢにファイルする。
【００１４】
通信添削システム提供者側は、受講者毎に上記ＩＣカード３を作成し、希望する受講者にはＩＣカード読取装置（以下コネクタという。）などと共に郵送する
【００１５】
次に、編集端末１１は、問題を作成する問題作成者によって作成された問題，１または複数の解答例を、クラス，教科毎に入力しする。入力された問題群には表示画面番号、または、ページを付して問題画面テキストデータ１２１の収納ファイルに保管する。
また、数学や，理科など、解答が複雑でない場合は、標準的な添削内容を添付して、解答データと共に添削画面テキストデータ１２２の収納ファイルに保管する。
【００１６】
受講者通信端末２は、例えば、通信手段，表示画面，入力手段としてのキーボード，ＩＣカード接続端子などを備えたインターネットに接続可能な通信端末である。
受講者通信端末２は、既にＩＣカードリーダライタ（コネクタ）が接続されているか、通信添削システム提供者側から供給されたコネクタが接続可能な状態になっている。
【００１７】
図２を参照して通信添削・試験問題のスタート画面の一例について説明する。
受講者通信端末２は、通信添削システム提供者のホームページにアクセスして図２に示すような通信添削・試験問題のスタート画面を表示する。
表示される通信添削・試験問題の画面は、大きく２つのエリアで構成されている。
1つのエリアは、図に示すようなページによって異なる可変エリアで、他のエリアは、各画面に常に表示される共通パターンエリアである。
共通パターンエリア（２１６）は、「開始時刻」，「残り時間」など、時間要素表示エリア２１３，メッセージ表示エリア２１４，機能選択ボタン表示エリア２１５で構成される。
図２に示す可変エリアには受講者が選択する選択クラス表示エリア２１１，選択教科表示エリア２１２，選択ボタン２１１１，２１２１がそれぞれに添えられて表示されている。
【００１８】
受講者は、ＩＣカードをＩＣカードコネクタに接続する。
ＩＣカードの有効性が確認されると、画面の選択ボタン２１１１，２１２１が有効化される。スタート画面２１で、クラス１（２１１）と、教科２（２１２）の中から「１−２中級」の「２−３数学」を選択し選択ボタン２１１１，２１２１を押す。
【００１９】
図３を参照して試験問題・解答画面の一例について説明する。
図３に示す試験問題・解答画面２２には、図２で選択した中級の数学問題２２１と、解答を入力するための入力枠２２２と、各画面共通パターン２１６が表示される。
問題１〜３に対応する解答１〜３の入力枠２２２には、それぞれに処理プログラムが接続されており、入力された解答データが配信サーバに送信された後の格納先などが指定される。
【００２０】
受講者は、通信端末に向って解答作業の態勢に入る。
図２の画面２１（スタート画面）でクラスと、教科を選択すると図３の画面２２（問題と解答）に変り、所定の時間が経過すると、機能選択ボタン２１５の「開始」のボタンが自動的に「ＯＮ」になり、時間要素表示エリア２１３に「開始時刻」と、「残り時間」が、例えば、図３のように表示される。
また、メッセージ表示エリア２１４にはその画面におけるコメントなどが表示される
【００２１】
図３，図４，図５，図６，図７を参照して本発明の通信添削システムの処理手順について説明する。
【００２２】
図４に示すように、受講者通信端末の表示部を見ながら、通信添削システム提供者のホームページ（配信サーバ）にアクセスする（ステップ１：以下Ｓ１）。
画面の指示に従って、ＩＣカードコネクタにＩＣカードを接続する（Ｓ２）。
ＩＣカードからＩＤコードを読出し、必要であれば秘密鍵によってＩＤコードを暗号化して配信サーバに送信する（Ｓ３）。
配信サーバは、ＩＤコードを受信し、受信したＩＤコードを復号し、登録されているＩＤコードリストから受信したＩＤコードを検索し、照合し、登録済みを確認して問題ファイルを配信する（Ｓ４）。
受講者端末は、問題ファイルを受信し、解答作業を開始する（Ｓ５）。
【００２３】
図５の「Ａ」は、図４の「Ａ」に繋がっている。
受講者通信端末は、解答作業を中断する必要が発生したために、図３に表示する「機能選択ボタン」の「中断」ボタンを押す（Ｓ１１）。
配信サーバは、受講者通信端末から送信された「解答作業中断」を確認して、「中断許可」信号を送信する（Ｓ１２）。
受講者通信端末は、「中断許可」信号を受信して、中断するまで解答した解答情報と、中断した時点における制限時間の残り時間をＩＣカードに記録する。
ＩＣカードは受講者通信端末のコネクタから引抜かれる（Ｓ１３）。
【００２４】
図６の「Ｂ」は、図５の「Ｂ」に繋がっている。
受講者通信端末は、Ｓ２に戻り、ＩＣカードが接続される。
図３に表示する「機能選択ボタン」の「再開」ボタンが押され、解答作業が再開される（Ｓ２１）。
受講者通信端末の入力手段は、解答作業を継続し、解答作業が終了する（Ｓ２２）。
受講者通信端末は、ＩＣカードの中で秘密鍵によって解答データを暗号化し、受講者端末の送信手段によって配信サーバに送信する（Ｓ２３）。
配信サーバは、暗号化された解答データを受信し、所定のファイルに格納する（Ｓ２４）。
【００２５】
図７の「Ｃ」は、図６の「Ｃ」に繋がっている。
配信サーバは、受信した解答データを復号する（Ｓ３１）。
配信サーバ内、または編集端末などによって採点され、添削される（Ｓ３２）。
上記、採点と、添削は教科によって掛る時間が異なる。また、記録媒体に格納されるなどして問題作成者に郵送され、添削され、配信サーバなどに戻された後、配信サーバで暗号化され（Ｓ３３）、受講者通信端末に送信される（Ｓ３４）。
受講者通信端末は、採点・添削データを受信し、秘密鍵で復号し、採点・添削内容を確認する（Ｓ３５）。
ＩＣカードが受講者通信端末から引抜かれる（Ｓ３６）。
【００２６】
図８を参照して、本発明の通信添削システムを構成する装置の機能について説明する。
配信サーバ１から送信されたデータは、インターネットを介して通信端末２に受信され、通信端末２に接続されたＩＣカードリーダライタ（コネクタ）４を経由して、そのデータの一部は、ＩＣカード３に送信される。
前述のように、ＩＣカード３に記録されている秘密鍵コードは、ＩＣカード３に実装されたＩＣチップの情報格納部３０３に読み出し不可能に格納される。
【００２７】
例えば、前述の受講者側の通信端末２から配信サーバに解答情報（答案）を送信する場合、通信端末２の一時記憶部から一旦、ＩＣカードの情報格納部３０３などに解答情報を一時記憶させ、ＩＣカード３の内部でこれら一時記憶した情報を暗号化し、通信端末２を介して配信サーバ１に送信する。
ＩＣカード３の内部では、ＩＣカード３の情報格納部３０３に読出し不能に記録された秘密鍵によって、作業場であるＲＡＭ３０２で暗号化作業が行われ、暗号化されたデータから順次通信端末２の一時記憶部に送信される。
【産業上の利用可能性】
【００２８】
インターネットを利用した通信添削に利用でき、特に解答作業に制限時間が設けられた試験問題などに対して好適である。
【図面の簡単な説明】
【００２９】
【図１】本実施形態に係わる通信添削システムの概略構成を示す図である。
【図２】通信添削・試験問題のスタート画面の一例について説明するための図である。
【図３】試験問題・解答画面の一例について説明するための図である。
【図４】本発明の通信添削システムの受講者ＩＤを確認する手順を示すフローチャートである。
【図５】本発明の通信添削システムの解答作業を中断する手順を示すフローチャートである。
【図６】本発明の通信添削システムの解答作業を再開する手順を示すフローチャートである。
【図７】本発明の通信添削システムの解答作業を終了する手順を示すフローチャートである。
【図８】本発明の通信添削システムを構成する装置の機能について説明するためのブロック図である。
【符号の説明】
【００３０】
１      配信サーバ
２      受講者通信端末
３      ＩＣカード（受講者カード，会員カード）
４      コネクタ
１１    編集端末
２１    通信添削・試験問題のスタート画面の一例
２２    試験問題・解答画面の一例
３１    ＩＣカード側ＩＦ
１１１  問題画面画像データ
１１２  解答画面画像データ
１２１  問題画面テキストデータ
１２２  添削画面テキストデータ
２１１  選択クラスの表示エリア
２１２  選択教科の表示エリア
２１３  時間要素表示エリア
２１４  メッセージ表示エリア
２１５  機能選択ボタン
２１６  各画面表示共通パターン
２２１  問題内容表示エリア
２２２  解答内容入力枠
３００  ＣＰＵ
３０１  ＲＯＭ
３０２  ＲＡＭ
３０３  情報格納部
２１１１  クラス選択ボタン
２１２１  教科選択ボタン
【図１】
2005227451.tif 000003
【図２】
2005227451.tif 000004
【図３】
2005227451.tif 000005
【図４】
2005227451.tif 000006
【図５】
2005227451.tif 000007
【図６】
2005227451.tif 000008
【図７】
2005227451.tif 000009
【図８】
2005227451.tif 000010